(57)【要約】【課題】把手の取付が容易であり且つ取付け後の見栄えが非常に良いドアの把手の取付構造を提供すること。【解決手段】ドアＤの両面に配された対向する把手１，３の取付部２，４相互が、ドアＤに穿設された孔ｈを介して頭付きネジ５で結合されているドアの把手の取付構造において、一方側の把手１の取付部２は、把手１に正逆回転自在に取付られた第１部材２０と、前記第１部材２０に螺合された第２部材２１とから構成され、螺合された第１・第２部材２０，２１間にできた閉鎖空間２６に頭付きネジ５の頭部５０を配すると共にネジ部５１を第２部材２１から貫通突出させ、前記貫通突出したネジ部５１を他方側の把手３の取付部４に穿設したネジ孔４７に螺合してある。【選択図】  図２
2005009249.tif 000002
【特許請求の範囲】
【請求項１】
ドアの両面に配された対向する把手の取付部相互が、ドアに穿設された孔を介して頭付きネジで結合されているドアの把手の取付構造において、一方側の把手の取付部は、把手に正逆回転自在に取付られた第１部材と、前記第１部材に螺合された第２部材とから構成され、螺合された第１・第２部材間にできた閉鎖空間に頭付きネジの頭部を配すると共にネジ部を第２部材から貫通突出させ、前記貫通突出したネジ部を他方側の把手の取付部に穿設したネジ孔に螺合したことを特徴とするドアの把手の取付構造。
【請求項２】
各把手には、その上下に取付部を設けてあることを特徴とする請求項１記載のドアの把手の取付構造。
【請求項３】
他方側の把手の取付部は、把手に正逆回転自在に取付られた第１部材と、前記第１部材に螺合され且つ頭付きネジのネジ部が螺合されるネジ孔を有する第２部材とから構成されていることを特徴とする請求項１又は２記載のドアの把手の取付構造。
【発明の詳細な説明】
【０００１】
【発明の属する技術分野】
この発明は、ドアの把手の取付構造に関するものである。
【０００２】
【従来の技術】
ドアの把手の取付構造としては、例えば、把手の上下部にそれぞれ脚部を設けると共に前記脚部に鍔部及びネジ管部を延設して成るものを、ドアに穿設した貫通孔に当該ドアの一方面から挿入し、ドアの他方面から貫通孔を介して皿ビスをネジ管部に螺合する態様のものがある（例えば、特許文献１。）。
【０００３】
しかしながら、上記形態のドアの把手の取付構造は、把手の取付けが容易であるものの、皿ビスの頭部がドア面に現れていることから見栄えが非常に悪いという問題があった。
【０００４】
【特許文献１】
特開平７−１９７７０４号公報
【０００５】
【発明が解決しようとする課題】
そこで、この発明では、把手の取付が容易であり且つ取付け後の見栄えが非常に良いドアの把手の取付構造を提供することを課題とする。
【０００６】
【課題を解決するための手段】
（請求項１記載の発明）
この発明のドアの把手の取付構造は、ドアの両面に配された対向する把手の取付部相互が、ドアに穿設された孔を介して頭付きネジで結合されているドアの把手の取付構造において、一方側の把手の取付部は、把手に正逆回転自在に取付られた第１部材と、前記第１部材に螺合された第２部材とから構成され、螺合された第１・第２部材間にできた閉鎖空間に頭付きネジの頭部を配すると共にネジ部を第２部材から貫通突出させ、前記貫通突出したネジ部を他方側の把手の取付部に穿設したネジ孔に螺合してある。
【０００７】
（請求項２記載の発明）
この発明のドアの把手の取付構造は、請求項１記載の発明に関し、各把手には、その上下に取付部を設けてある。
【０００８】
（請求項３記載の発明）
この発明のドアの把手の取付構造は、請求項１又は２記載の発明に関し、他方側の把手の取付部は、把手に正逆回転自在に取付られた第１部材と、前記第１部材に螺合され且つ頭付きネジのネジ部が螺合されるネジ孔を有する第２部材とから構成されている。
【０００９】
なお、上記発明のドアの把手の取付構造の作用・効果については、発明の実施の形態の欄で明らかにする。
【００１０】
【発明の実施の形態】
この発明の実施形態のを図面に従って説明する。
〔実施形態１〕
図１はこの発明の実施形態のドアの把手の取付構造によりドアの両面に把手を取付た状態を示す正面図、図２は前記ドアの把手の取付構造を示す断面図、図３は前記ドアの把手の取付構造を示す分解断面図。図４は前記ドアの把手の取付構造を示す分解斜視図。
【００１１】
（このドアの把手の取付構造の基本的構成について）
このドアの把手の取付構造は、図１〜図４に示すように、ドアＤの両面に配された対向する把手１，３の取付部２，４相互が、ドアＤに穿設された孔ｈを介して頭付きネジ５で結合されて成る。
【００１２】
ここで、この実施形態では、取付部２，４は、図２〜図４に示すように、把手１，３にビス２９，  ４９により正逆回転自在に取付られた第１部材２０，４０と、前記第１部材２０，４０に螺合された第２部材２１，４１とから構成され、螺合された第１・第２部材２０，２１間にできた閉鎖空間２６に頭付きネジ５の頭部５０を配すると共にネジ部５１を第２部材２１から貫通突出させ、前記貫通突出したネジ部５０を取付部４の第２部材４１に穿設したネジ孔４７に螺合している。
【００１３】
（把手１，３の構成について）
把手１は、図１や図２に示すように、長さ２００ｍｍ、直径１２ｍｍの握り部１０と、前記握り部１０の上下部に設けた長さ２５ｍｍ、直径１０ｍｍの立ち上がり部１１とから形成され、全体がステンレス鋼により構成されている。なお、前記立ち上がり部１１にはビス２９をねじ込むためのネジ孔１２を設けてある。
【００１４】
把手３はこの把手１と全く同様の構成であり、握り部３０、立ち上がり部３１及びネジ孔３２を具備している。
【００１５】
（取付部２の構成について）
取付部２は、図２や図３に示すように、上述した如く第１部材２０と第２部材２１とを有するものである。
【００１６】
第１部材２０は、図２〜図４に示すように、皿状に構成されたものであり、ビス２９をネジ孔１２にねじ込む態様で固定された押さえ板２２の端面と、立ち上がり部１１の端面との間に小ギャップを設けるようにして挟み込んであり、正逆回転を可能としている。第１部材４０は上記第１部材２０と全く同様の構成であり、ビス４９をネジ孔３２にねじ込む態様で固定された押さえ板４２の端面と、立ち上がり部１１の端面との間に小ギャップを設けるようにして挟み込んであり、正逆回転を可能としている。
【００１７】
第２部材２１は、図２〜図４に示すように、フランジ部２３と筒部２４とを連設して成るもので、第１部材２０への螺合状態において、押さえ板２２が嵌まり込む浅孔２５と、ビス２９の頭部及び頭付きネジ５の頭部５０とが嵌まり込む閉塞空間２６と、前記頭付きネジ５のネジ部５１が貫通する貫通孔２７を有するものとしてある。第２部材４１はフランジ部４３と筒部４４とを連設して成り、第１部材４０への螺合状態において、押さえ板４２が嵌まり込む浅孔４５を有している点については第２部材２１と同様であるが、閉塞空間４６にはビス４９の頭部のみが配置され、貫通孔２７ではなくネジ孔４７が形成されている点が第２部材２１と相違している。
【００１８】
なお、上記第１部材２０と第２部材２１との一体化は、図２や図４に示すように第１部材２０の内周部に設けた雌ネジ２８ａと、フランジ部２３の外周部に設けた雄ネジ２８ｂとを螺合することにより実現されるようになっている。上記第１部材４０と第２部材４１との一体化についても同様に第１部材４０に設けた雌ネジ４８ａと、フランジ部４１ａの外周部に設けた雌ネジ４８ｂとを螺合することにより実現されるようになっている。
【００１９】
（ドアＤに穿設された孔ｈについて）
このドアの把手の取付構造を使用する場合、頭付きネジ５を通す孔ｈが必要になるが、前記孔ｈはこれに挿入される第２部材２１の筒部２４、及び第２部材４１の筒部４４よりも少し大きく設定してある。
【００２０】
（このドアの把手の取付構造による把手１のドアＤへの設置について）
把手１のドアＤへの取付は以下の▲１▼〜▲６▼の手順で行う。
▲１▼．図３に示したビス２９をネジ孔１２にねじ込んで、図４や図５示す如く把手１に対して、第１部材２０及び第２部材２１を組み付ける（以下、組付体Ａという）。この状態では、把手１に組み付けられた第１部材２０は正逆回転を可能である。
【００２１】
▲２▼．上記と同様に、図３に示したビス４９をネジ孔３２にねじ込で、図４や図５示す如く把手３に対して、第１部材４０及び第２部材４１を組み付ける。この状態では、把手３に組み付けられた第１部材４０は正逆回転を可能である。続いて、第１部材４０と第２部材４１とを、図４や図５示すように雌ネジ４８ａと雌ネジ４８ｂを螺合して一体化する。（以下、組付体Ｂという）。
【００２２】
▲３▼．ドアＤに穿設した孔ｈの一方側開放部に組付体Ｂの筒部４４を、図５に示すように、フランジ部４３の面がドアＤの面に当接するまで挿入する。
【００２３】
▲４▼．ドアＤに穿設した孔ｈの他方側開放部に第２部材２１の筒部２４を、図５に示すように、フランジ部２３の面がドアＤの面に当接するまで挿入する。
【００２４】
▲５▼．第２部材２１の筒部２４の貫通孔２７に頭付きネジ５を挿入し、頭部５０の頭部に形成されたドライバー対応溝を利用してドライバーで頭付きネジ５を回転させる。すると、頭付きネジ５のネジ部５１はネジ孔４７にねじ込まれていき、図５の二点鎖線で示すように、頭部５０が閉鎖空間２６を構成する底面を押圧するまでねじ込まれる。
【００２５】
上記状態では、第１部材２０及び組付体Ｂは孔ｈから抜けることなくしっかりとドアＤに取付られた状態となっている。
【００２６】
▲６▼．組付体Ａの第１部材２０の雌ネジ２８ａと第２部材２１の雄ネジ２８ｂとを螺合し、図２に示すように、これら相互をドアＤにしっかりと固定する。
なお、上記状態では、ビス２９の頭部と頭付きネジ５の頭部５０は閉鎖空間２６に納まった状態となっている。したがって、ネジ（ビス）の頭部等がドア面に現れていないものになる。
【００２７】
（このドアの把手の取付構造の優れた作用・効果について）
このドアの把手の取付構造によると、上記した如く把手の取付がドライバー一本でしかも容易にできる。
【００２８】
また、このドアの把手の取付構造によると、ネジ（ビス）の頭部等がドア面に現れていないことから見栄えが良いものになる。
【００２９】
さらに、頭付きネジ５の長さを変えることにより、様々な厚みのドアＤに対応できる。
【００３０】
〔他の実施形態〕
上記実施形態１では組付体Ｂは複数の部材から構成したものとしているが、これに限定されることなく図６に示すような一体物Ｂ’で構成してもよいし、部品点数を減少させる構成としてもよい。
【００３１】
上記実施形態１では、組付体Ａを、ビス２９、押さえ板２２及び第１部材２０から構成されているが、これに限定されるものではなく、把手１に対して正逆回転が可能であればよい。
【００３２】
【発明の効果】
この発明は上記のような構成であるから次の効果を有する。
【００３３】
発明の実施の形態の欄に記載した内容から、把手の取付が容易であり且つ取付け後の見栄えが非常に良いドアの把手の取付構造を提供できた。
【図面の簡単な説明】
【図１】この発明の実施形態のドアの把手の取付構造によりドアの両面に把手を取付た状態を示す正面図。
【図２】前記ドアの把手の取付構造を示す断面図。
【図３】前記ドアの把手の取付構造を示す分解断面図。
【図４】前記ドアの把手の取付構造を示す分解斜視図。
【図５】前記ドアの把手の取付構造によるドアへの把手の接置方法を示す説明図。
【図６】他の実施形態のドアの把手の取付構造の部品を示す断面図。
【符号の説明】
Ｄ    ドア
ｈ    孔
１    把手
２    取付部
３    把手
４    取付部
５    頭付きネジ
２０  第１部材
２１  第２部材
２６  閉鎖空間
４０  第１部材
４１  第２部材
４７  ネジ孔
５０  頭部
５１  ネジ部
【図１】
2005009249.tif 000003
【図２】
2005009249.tif 000004
【図３】
2005009249.tif 000005
【図４】
2005009249.tif 000006
【図５】
2005009249.tif 000007
【図６】
2005009249.tif 000008